【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  Ｕm インターフェースにおいて無線通信装置と相互動作機能（ＩＷＦ）との間に、およびＲm インターフェースにおいて前記無線通信装置とＴＥ２装置との間にＰＰＰリンクを同時に設定する方法において、
前記無線通信装置において構成−リクエストパケットを前記Ｒm インターフェースによって受信し、
前記構成−リクエストパケットに含まれる全ての構成オプションが前記無線通信装置によりサポートされるか否かを決定し、
前記決定により前記構成−リクエストパケットに含まれる少なくとも１つの前記構成オプションが前記無線通信装置によりサポートされないことが決定されたとき、構成−リジェクトパケットを生成して送信し、
前記決定により、前記構成−リクエストパケットの全ての前記構成オプションがサポートされることが決定されたとき、前記構成−リクエストパケットをＰＰＰフレームに形成し、前記ＰＰＰフレームをＵm インターフェースによって送信し、
前記決定により、前記構成−リクエストパケットの全ての前記構成オプションがサポートされることが決定されたとき、前記構成−リクエストパケットに含まれている構成−リクエストＩＤをメモリに記憶し、
前記Ｕm インターフェースによって構成−Ａｃｋパケットを受信し、
前記構成−Ａｃｋパケットを前記ＰＰＰフレームに形成し、前記構成−Ａｃｋパケットを含んでいる前記ＰＰＰフレームを前記Ｒm インターフェースによって送信し、
前記Ｒm インターフェースによって構成−Ａｃｋパケットを受信し、
前記構成−Ａｃｋパケットを前記ＰＰＰフレームに形成し、
前記構成−Ａｃｋパケットを含んでいる前記ＰＰＰフレームを前記Ｕm インターフェースによって送信するステップを含んでいる方法。
【請求項２】  前記構成−Ａｃｋパケットに含まれるＩＤが前記メモリに記憶されている前記構成−リクエストＩＤと一致するか否かを決定し、
前記決定により、前記構成−Ａｃｋパケットの前記ＩＤが前記メモリに記憶されている前記構成−リクエストＩＤに一致することが決定されたとき、前記構成−Ａｃｋパケットに含まれる全てのオプションの値をセーブするステップをさらに含んでいる請求項１記載の方法。
【請求項３】  Ｕm インターフェースにおいて無線通信装置と相互動作機能（ＩＷＦ）との間に、およびＲm インターフェースによって前記無線通信装置とＴＥ２装置との間にＰＰＰリンクを同時に設定する方法において、
前記無線通信装置において、構成−リクエストパケットを前記Ｒm インターフェースによって受信し、
前記構成−リクエストパケットに含まれる全ての構成オプションが前記無線通信装置によりサポートされるか否かを決定し、
前記決定により前記構成−リクエストパケットに含まれている少なくとも１つの前記構成オプションが前記無線通信装置によりサポートされないことが決定されたとき、構成−リジェクトパケットを生成して送信し、
前記決定により、前記構成−リクエストパケットの全ての前記構成オプションがサポートされることが決定されたとき、前記構成−リクエストパケットに含まれる構成−リクエストＩＤをメモリに記憶し、
前記決定により、前記構成−リクエストパケットの全ての前記構成オプションがサポートされることが決定されたとき、前記構成−リクエストパケットをＰＰＰフレームに形成し、前記ＰＰＰフレームを前記Ｕm インターフェースによって送信し、
構成−Ａｃｋパケットを前記Ｕm インターフェースによって受信し、
前記構成−Ａｃｋパケットに含まれるＩＤが前記メモリに記憶されている前記構成−リクエストＩＤと一致するか否かを決定し、
前記決定により前記構成−Ａｃｋパケットの前記ＩＤが前記メモリに記憶されている前記構成−リクエストＩＤと一致することが決定されたとき、前記構成−Ａｃｋパケットに含まれる全てのオプションの値をセーブし、
前記構成−Ａｃｋパケットを前記ＰＰＰフレームに形成し、前記構成−Ａｃｋパケットに含まれる前記ＰＰＰフレームを前記Ｒm インターフェースによって送信するステップを含んでいる設定方法。
【請求項４】  Ｕm インターフェースにおいて無線通信装置と相互動作機能（ＩＷＦ）との間に、およびＲm インターフェースによって前記無線通信装置とＴＥ２装置との間にＰＰＰリンクを同時に設定する方法において、
前記無線通信装置において、構成−リクエストパケットを前記Ｕm インターフェースによって受信し、
前記構成−リクエストパケットに含まれている全ての構成オプションが前記無線通信装置によりサポートされるか否かを決定し、
前記決定により前記構成−リクエストパケットに含まれている少なくとも１つの前記構成オプションが前記無線通信装置によりサポートされないことが決定されたとき、構成−リジェクトパケットを生成して送信し、
前記決定により、前記構成−リクエストパケット中の全ての前記構成オプションがサポートされることが決定されたとき、前記構成−リクエストパケットをＰＰＰフレームに形成し、前記ＰＰＰフレームをＲm インターフェースによって送信し、
前記決定により、前記構成−リクエストパケット中の全ての前記構成オプションがサポートされることが決定されたとき、前記構成−リクエストパケットに含まれている構成−リクエストＩＤをメモリに記憶し、
前記Ｒm インターフェースによって構成−Ａｃｋパケットを受信し、
前記構成−Ａｃｋパケットを前記ＰＰＰフレームに形成し、
前記構成−Ａｃｋパケットを含んでいる前記ＰＰＰフレームを前記Ｕm インターフェースによって送信するステップを含んでいる方法。
【請求項５】  Ｕm インターフェースにおいて無線通信装置と相互動作機能（ＩＷＦ）との間に、およびＲm インターフェースによって前記無線通信装置とＴＥ２装置との間にＰＰＰリンクを同時に設定する方法において、
前記無線通信装置において、構成−リクエストパケットを前記Ｕm インターフェースによって受信し、
前記構成−リクエストパケットに含まれる全ての構成オプションが前記無線通信装置によりサポートされるか否かを決定し、
前記決定により前記構成−リクエストパケットに含まれている少なくとも１つの前記構成オプションが前記無線通信装置によりサポートされないことが決定されたとき、構成−リジェクトパケットを生成して送信し、
前記決定により、前記構成−リクエストパケット中の全ての前記構成オプションがサポートされることが決定されたとき、前記構成−リクエストパケットをＰＰＰフレームに形成し、前記ＰＰＰフレームをＲm インターフェースによって送信し、
前記決定により、前記構成−リクエストパケット中の全ての前記構成オプションがサポートされることが決定されたとき、前記構成−リクエストパケットに含まれている構成−リクエストＩＤをメモリに記憶し、
前記Ｒm インターフェースによって構成−Ａｃｋパケットを受信し、
前記構成−Ａｃｋパケットを前記ＰＰＰフレームに形成し、
前記構成−Ａｃｋパケットを含んでいる前記ＰＰＰフレームを前記Ｕm インターフェースによって送信するステップを含んでいる方法。
【請求項６】  前記構成−Ａｃｋパケットに含まれるＩＤが前記構成−リクエストＩＤと一致するか否かを決定し、
前記決定により、前記構成−Ａｃｋパケットの前記ＩＤが前記メモリに記憶されている前記構成−リクエストＩＤに一致することが決定されたとき、前記構成−Ａｃｋパケットに含まれる全てのオプションの値をセーブするステップをさらに含んでいる請求項５記載の方法。
【請求項７】  Ｕm インターフェースにおいて無線通信装置と相互動作機能（ＩＷＦ）との間に、およびＲm インターフェースによって前記無線通信装置とＴＥ２装置との間にＰＰＰリンクを同時に設定する方法において、
前記無線通信装置において、構成−リクエストパケットを前記Ｕm インターフェースによって受信し、
前記構成−リクエストパケットに含まれている全ての構成オプションが前記無線通信装置によりサポートされるか否かを決定し、
前記決定により前記構成−リクエストパケットに含まれている少なくとも１つの前記構成オプションが前記無線通信装置によりサポートされないことが決定されたとき、構成−リジェクトパケットを生成して送信し、
前記決定により、前記構成−リクエストパケットの全ての前記構成オプションがサポートされることが決定されたとき、前記構成−リクエストパケットに含まれている構成−リクエストＩＤをメモリ中に記憶し、
前記決定により、前記構成−リクエストパケットの全ての前記構成オプションがサポートされることが決定されたとき、前記構成−リクエストパケットをＰＰＰフレームにフレームし、前記ＰＰＰフレームを前記Ｒm インターフェースによって送信し、
構成−Ａｃｋパケットを前記Ｒm インターフェースによって受信し、
前記構成−Ａｃｋパケットに含まれるＩＤが前記メモリに記憶されている前記構成−リクエストＩＤと一致するか否かを決定し、
前記決定により前記構成−Ａｃｋパケット中の前記ＩＤが前記メモリに記憶されている前記構成−リクエストＩＤと一致することが決定されたとき、前記構成−Ａｃｋパケットに含まれる全てのオプションの値をセーブし、
前記構成−Ａｃｋパケットを前記ＰＰＰフレームに形成し、前記構成−Ａｃｋパケットに含まれる前記ＰＰＰフレームを前記Ｕm インターフェースによって送信するステップを含んでいる方法。
【請求項８】  Ｕm インターフェースにより相互動作機能（ＩＷＦ）へのＰＰＰリンクを、またＲm インターフェースによりＴＥ２装置へのＰＰＰリンクを同時に設定することのできる無線通信装置において、
構成−リクエストパケットを前記Ｒm インターフェースによって受信する手段と、
前記構成−リクエストパケットに含まれている全ての構成オプションが前記無線通信装置によりサポートされるか否かを決定する手段と、
前記決定手段により、前記構成−リクエストパケットに含まれている少なくとも１つの前記構成オプションが前記無線通信装置によりサポートされないことが決定されたとき、構成−リジェクトパケットを生成して送信する手段と、
前記決定手段により、前記構成−リクエストパケットの全ての前記構成オプションがサポートされることが決定されたとき、前記構成−リクエストパケットをＰＰＰフレームに形成し、前記ＰＰＰフレームをＵm インターフェースによって送信する手段と、
前記決定手段により、前記構成−リクエストパケットの全ての前記構成オプションがサポートされることが決定されたとき、前記構成−リクエストパケットに含まれている構成−リクエストＩＤをメモリに記憶する手段と、
前記Ｕm インターフェースによって構成−Ａｃｋパケットを受信する手段と、
前記構成−Ａｃｋパケットを前記ＰＰＰフレームに形成し、前記構成−Ａｃｋパケットを含んでいる前記ＰＰＰフレームを前記Ｒm インターフェースによって送信する手段と、
前記Ｕm インターフェースによって構成−Ａｃｋパケットを受信する手段と、
前記構成−Ａｃｋパケットを前記ＰＰＰフレームに形成し、前記構成−Ａｃｋパケットを含んでいる前記ＰＰＰフレームを前記Ｒm インターフェースによって送信する手段と、
前記構成−Ａｃｋパケットに含まれているＩＤが前記メモリに記憶されている前記構成−リクエストＩＤと一致するか否かを決定する手段と、
前記決定手段により、前記構成−Ａｃｋパケットの前記ＩＤが前記メモリに記憶されている前記構成−リクエストＩＤに一致することが決定されたとき、前記構成−Ａｃｋパケットに含まれている全てのオプションの値をセーブする手段とを含んでいる無線通信装置。
【請求項９】  Ｕm インターフェースによって相互動作機能（ＩＷＦ）へのＰＰＰリンクを設定し、Ｒm インターフェースによってＴＥ２装置へのＰＰＰリンクを同時に設定することのできる無線通信装置において、
構成−リクエストパケットを前記Ｒm インターフェースによって受信する手段と、
前記構成−リクエストパケットに含まれる全ての構成オプションが前記無線通信装置によりサポートされるか否かを決定する手段と、
前記決定手段により前記構成−リクエストパケットに含まれる少なくとも１つの前記構成オプションが前記無線通信装置によりサポートされないことが決定されたとき、構成−リジェクトパケットを生成して送信する手段と、
前記決定手段により、前記構成−リクエストパケットの全ての前記構成オプションがサポートされることが決定されたとき、前記構成−リクエストパケットに含まれている構成−リクエストＩＤをメモリ中に記憶する手段と、
前記決定手段により、前記構成−リクエストパケットの全ての前記構成オプションがサポートされることが決定されたとき、前記構成−リクエストパケットをＰＰＰフレームに形成し、前記ＰＰＰフレームを前記Ｕm インターフェースによって送信する手段と、
構成−Ａｃｋパケットを前記Ｕm インターフェースによって受信する手段と、
前記構成−Ａｃｋパケットに含まれているＩＤが前記メモリに記憶されている前記構成−リクエストＩＤと一致するか否かを決定する手段と、
前記決定手段により前記構成−Ａｃｋパケットの前記ＩＤが前記メモリに記憶されている前記構成−リクエストＩＤと一致することが決定されたとき、前記構成−Ａｃｋパケットに含まれる全てのオプションの値をセーブする手段と、
前記構成−Ａｃｋパケットを前記ＰＰＰフレームに形成し、前記構成−Ａｃｋパケットに含まれている前記ＰＰＰフレームを前記Ｒm インターフェースによって送信する手段を含んでいる無線通信装置。
【請求項１０】  Ｕm インターフェースにおける相互動作機能（ＩＷＦ）へのＰＰＰリンクと、Ｒm インターフェースにおけるＴＥ２装置へのＰＰＰリンクとを同時に設定することができる無線通信装置において、
構成−リクエストパケットを前記Ｕm インターフェースによって受信する手段と、
前記構成−リクエストパケットに含まれている全ての構成オプションが前記無線通信装置によりサポートされるか否かを決定する手段と、
前記決定手段により前記構成−リクエストパケットに含まれている少なくとも１つの前記構成オプションが前記無線通信装置によりサポートされないことが決定されたとき、構成−リジェクトパケットを生成して送信する手段と、
前記決定手段により、前記構成−リクエストパケットの全ての前記構成オプションがサポートされることが決定されたとき、前記構成−リクエストパケットをＰＰＰフレームに形成し、前記ＰＰＰフレームをＲm インターフェースによって送信する手段と、
前記決定手段により、前記構成−リクエストパケットの全ての前記構成オプションがサポートされることが決定されたとき、前記構成−リクエストパケットに含まれている構成−リクエストＩＤをメモリに記憶する手段と、
前記Ｒm インターフェースによって構成−Ａｃｋパケットを受信する手段と、
前記構成−Ａｃｋパケットを前記ＰＰＰフレームに形成し、前記構成−Ａｃｋパケットを含んでいる前記ＰＰＰフレームを前記Ｕm インターフェースによって送信する手段を含んでいる無線通信装置。
【請求項１１】  Ｕm インターフェースにおいて相互動作機能（ＩＷＦ）へのＰＰＰリンクを、またＲm インターフェースにおいてＴＥ２装置へのＰＰＰリンクを同時に設定することができる無線通信装置において、
構成−リクエストパケットを前記Ｕm インターフェースによって受信する手段と、
前記構成−リクエストパケットに含まれる全ての構成オプションが前記無線通信装置によりサポートされるか否かを決定する手段と、
前記決定手段により前記構成−リクエストパケットに含まれている少なくとも１つの前記構成オプションが前記無線通信装置によりサポートされないことが決定されたとき、構成−リジェクトパケットを生成して送信する手段と、
前記決定手段により前記構成−リクエストパケットの全ての前記構成オプションがサポートされることが決定されたとき、前記構成−リクエストパケットをＰＰＰフレームに形成し、前記ＰＰＰフレームを前記Ｒm インターフェースを介して送信する手段と、
前記決定手段により、前記構成−リクエストパケットの全ての前記構成オプションがサポートされることが決定されたとき、前記構成−リクエストパケットに含まれている構成−リクエストＩＤをメモリに記憶する手段と、
構成−Ａｃｋパケットを前記Ｒm インターフェースを介して受信する手段と、
前記構成−Ａｃｋパケットを前記ＰＰＰフレームに形成し、前記構成−Ａｃｋパケットに含まれている前記ＰＰＰフレームを前記Ｕm インターフェースを介して送信する手段と、
前記構成−Ａｃｋパケットに含まれるＩＤが前記メモリに記憶されている前記構成−リクエストＩＤと一致するか否かを決定する手段と、前記決定手段により前記構成−Ａｃｋパケットの前記ＩＤが前記メモリに記憶されている前記構成−リクエストＩＤと一致することが決定されたとき、前記構成−Ａｃｋパケットに含まれている全てのオプションの値をセーブする手段とを含んでいる無線通信装置。
【請求項１２】  Ｕm インターフェースにおいて相互動作機能（ＩＷＦ）へのＰＰＰリンクを、またＲm インターフェースにおいてＴＥ２装置へのＰＰＰリンクを同時に設定することができる無線通信装置において、
構成−リクエストパケットを前記Ｕm インターフェースによって受信する手段と、
前記構成−リクエストパケットに含まれている全ての構成オプションが前記無線通信装置によりサポートされるか否かを決定する手段と、
前記決定手段により前記構成−リクエストパケットに含まれている少なくとも１つの前記構成オプションが前記無線通信装置によりサポートされないことが決定されたとき、構成−リジェクトパケットを生成して送信する手段と、
前記決定手段により、前記構成−リクエストパケットの全ての前記構成オプションがサポートされることが決定されたとき、前記構成−リクエストパケットに含まれている構成−リクエストＩＤをメモリに記憶する手段と、
前記決定手段により前記構成−リクエストパケットの全ての前記構成オプションがサポートされることが決定されたとき、前記構成−リクエストパケットをＰＰＰフレームに形成し、前記ＰＰＰフレームを前記Ｒm インターフェースを介して送信する手段と、
構成−Ａｃｋパケットを前記Ｒm インターフェースを介して受信する手段と、
前記構成−Ａｃｋパケットに含まれているＩＤが前記メモリに記憶されている前記構成−リクエストＩＤと一致するか否かを決定する手段と、
前記決定手段により前記構成−Ａｃｋパケットの前記ＩＤが前記メモリに記憶されている前記構成−リクエストＩＤと一致することが決定されたとき、前記構成−Ａｃｋパケットに含まれている全てのオプションの値をセーブする手段と、
前記構成−Ａｃｋパケットを前記ＰＰＰフレームに形成し、前記構成−Ａｃｋパケットに含まれている前記ＰＰＰフレームを前記Ｕm インターフェースを介して送信する手段とを含んでいる無線通信装置。